(57)【要約】  蠕動ポンプが使い捨て導管と共に利用される引っ張り式床仕上げ剤アプリケータが、該ポンプの洗浄の手間を取り除く。このアプリケータは、バッグインボックスの床仕上げ剤を収納するように適合可能であるため、洗浄時間が減る。このアプリケータは、最小数の使い捨て部品を用いることで、製造を経済的にする。一例では、容易にアクセス可能な領域に床仕上げ剤を塗布するのにモップを利用するが、そのような容易にアクセス可能でない領域への床仕上げ剤の塗布にモップを独立して用いることもできる。
2010534287.tif 000002
【特許請求の範囲】
【請求項１】
床仕上げ剤アプリケータであって、
床仕上げ剤供給源を収納するように構成及び配置される本体部材を含む車輪付きのカートと、
前記カートに結合される床仕上げ剤拡布モップと、
前記本体部材に接続される蠕動ポンプと、
前記床仕上げ剤供給源及び前記ポンプに接続されるようになっている導管と、
車輪の移動によって前記ポンプを駆動するように構成及び配置される伝動組立体と、
を備える、床仕上げ剤アプリケータ。
【請求項２】
前記伝動組立体はばねクラッチアクチュエータを含む、請求項１に記載のアプリケータ。
【請求項３】
前記ばねクラッチアクチュエータは、少なくとも１つのスラストワッシャと、該スラストワッシャに係合する枢動バー部材とを含む、請求項２に記載のアプリケータ。
【請求項４】
前記伝動組立体は、車輪車軸に接続される駆動歯車と、該駆動歯車に係合して前記ポンプを駆動する傘歯車を有する駆動軸とを含む、請求項１に記載のアプリケータ。
【請求項５】
前記駆動歯車はワンウェイローラクラッチを含む、請求項４に記載のアプリケータ。
【請求項６】
前記駆動軸は、前記傘歯車を有する第１の軸と、第２の軸とを含み、該第１の軸及び該第２の軸は、ピン・スロット構造によって相互接続される、請求項４に記載のアプリケータ。
【請求項７】
前記駆動軸に取り付けられるレバーと、該駆動軸に取り付けられるケーブルと、該ケーブルを作動させるハンドル部材とを含む制御手段をさらに備える、請求項１に記載のアプリケータ。
【請求項８】
前記蠕動ポンプは、前記本体部材のコンパートメントに収容され、前記本体部材の外部からアクセス可能である、請求項１に記載のアプリケータ。
【請求項９】
前記床仕上げ剤供給源は、バッグインボックスである、請求項１に記載のアプリケータ。
【請求項１０】
請求項１に記載のアプリケータを利用して床面に床仕上げ剤を塗布する方法。
【請求項１１】
床仕上げ剤アプリケータであって、
床仕上げ剤供給源を収納するように構成及び配置される本体部材を含む車輪付きのカートと、
前記カートに結合される床仕上げ剤拡布モップと、
前記本体部材に接続される蠕動ポンプであって、該ポンプ内に実質的に収容される第１の導管を含む、蠕動ポンプと、
前記床仕上げ剤供給源と前記ポンプとの間に接続可能な第２の導管と、
を備え、前記第１の導管及び前記第２の導管は、前記カートの洗浄作業中に該カートから容易に分離可能である、床仕上げ剤アプリケータ。
【請求項１２】
車輪付きのカートと、床仕上げ剤拡布モップと、前記カートに結合される蠕動ポンプとを含む床仕上げ剤アプリケータを洗浄する方法であって、前記蠕動ポンプは該ポンプ内に実質的に収容される第１の導管を含み、前記アプリケータは、前記カート上に支持される床仕上げ剤供給源と前記ポンプとの間に接続可能な第２の導管を含み、該方法は、
前記蠕動ポンプから前記第１の導管を取り外すステップ、及び
前記蠕動ポンプから前記第２の導管を分離するステップ、
を含む、方法。
【請求項１３】
前記カートから前記床仕上げ剤供給源を取り外すステップをさらに含む、請求項１２に記載の方法。
【請求項１４】
前記第１の導管及び前記第２の導管を、新しい第１の導管及び第２の導管と交換するステップをさらに含む、請求項１２に記載の方法。
【発明の詳細な説明】
【技術分野】
【０００１】
本発明は、床仕上げ剤用のアプリケータに関する。より詳細には、本発明は、引っ張り式（pull behind）カートの構成要素としてポンプ及び着脱可能なモップを利用する簡易引っ張り式床仕上げ剤アプリケータに関する。
【背景技術】
【０００２】
引っ張り式床仕上げ剤アプリケータは、特許文献１、特許文献２、特許文献３、特許文献４、及び特許文献５に開示されている。このタイプの他の床仕上げ剤アプリケータは、Ｕｌｔｒａ−Ｔｒａｋ床仕上げ剤アプリケータとしてFast-Trak Inc.から、またＭｕｌｔｉ−Ｆｌｏアプリケータとしてミズーリ州セントジョセフのHillyard, Inc.から入手可能である。
【０００３】
これらのアプリケータは、多くの構成要素を有し且つ／又は別個のモッピング機能が備わっていない機構を伴う。例えば、特許文献１及び特許文献３に記載されているアプリケータは、複雑な送出システムを有する加圧タンクを含む。これらは、時間のかかる洗浄作業を要する。特許文献２及び特許文献４に記載されているものは、別個のモッピング機能が備わっていない。特許文献５は、床仕上げ剤をモップに送出させるピストンポンプを提供している。しかしながら、このピストンポンプは洗浄の問題を提示している。
【０００４】
引っ張り式床仕上げ剤アプリケータは、製造するのに経済的であるように単純な構造であるべきである。これは、塗布を容易に行うことができないような場所に床仕上げ剤を塗布することが可能でもあるべきである。これはまた、容易な洗浄作業を提供するべきである。
【０００５】
従来技術は、最小数の部品を有し、その上可動機械によって容易にアクセス可能な床領域及びそうでない床領域の両方に床仕上げ剤を塗布することができる床仕上げ剤アプリケータを提供していない。従来技術は、容易に操作及び洗浄される、前述のタイプの床仕上げ剤アプリケータも提供していない。
【先行技術文献】
【特許文献】
【０００６】
【特許文献１】米国特許第２，９７９，７５６号明細書
【特許文献２】米国特許第３，４５７，０１５号明細書
【特許文献３】米国特許第３，９８１，５９６号明細書
【特許文献４】米国特許第４，１２４，３１５号明細書
【特許文献５】米国特許第４，４７１，７１３号明細書
【発明の概要】
【０００７】
本発明の一態様は、床仕上げ剤供給源を収納するように構成及び配置される本体部材を含む車輪付きのカートを含む、引っ張り式床仕上げ剤アプリケータを提供する。該車輪付きのカートは車輪車軸を含む。ハンドル部材と床仕上げ剤拡布部材とを有する床仕上げ剤拡布モップがカートに結合される。蠕動ポンプが本体部材に接続され、導管が床仕上げ剤供給源とポンプとの間に接続可能である。伝動組立体が、車輪の移動によってポンプを駆動するように構成及び配置される。
【０００８】
一実施の形態では、伝動組立体は、ばねクラッチアクチュエータを含み、該ばねクラッチアクチュエータは、少なくとも１つのスラストワッシャと、該スラストワッシャに係合する枢動バー部材とを含む。
【０００９】
一実施の形態では、伝動組立体は、車輪車軸に接続される駆動歯車と、該駆動歯車に係合してポンプを駆動する傘歯車を有する駆動軸とを含む。
【００１０】
一態様では、駆動歯車はワンウェイローラクラッチを含む。
【００１１】
さらに別の実施の形態では、駆動軸は、傘歯車を有する第１の軸と、第２の軸とを含み、該第１の軸及び該第２の軸は、ピン・スロット構造（arrangement）によって相互接続される。
【００１２】
さらに他の実施の形態では、車輪付きカートは、該カートが都合よく又は容易に適合することができない領域で使用するためにカートからハンドルを着脱させる手段を備える。
【００１３】
別の態様では、制御手段が、駆動軸に取り付けられるレバーと、該駆動軸に取り付けられるケーブルと、該ケーブルを作動させるハンドル部材とを含む。
【００１４】
さらに別の態様では、蠕動ポンプは、本体部材のコンパートメントに収容され、本体部材の外部からアクセス可能である。
【００１５】
さらに別の態様では、床仕上げ剤供給源は、バッグインボックスである。
【００１６】
いくつかの実施の形態は、床仕上げ剤アプリケータであって、床仕上げ剤供給源を収納するように構成及び配置される本体部材を含む車輪付きのカートと、カートに結合される床仕上げ剤拡布モップと、本体部材に接続される蠕動ポンプであって、該ポンプ内に実質的に収容される第１の導管を含む、蠕動ポンプと、床仕上げ剤供給源とポンプとの間に接続可能な第２の導管とを備え、第１の導管及び第２の導管は、カートの洗浄作業中に該カートから容易に分離可能である、床仕上げ剤アプリケータに関する。
【００１７】
いくつかの実施の形態は、車輪付きのカートと、床仕上げ剤拡布モップと、カートに結合される蠕動ポンプとを含む床仕上げ剤アプリケータを洗浄する方法であって、蠕動ポンプは該ポンプ内に実質的に収容される第１の導管を含み、アプリケータは、カート上に支持される床仕上げ剤供給源とポンプとの間に接続可能な第２の導管を含み、該方法は、蠕動ポンプから第１の導管を取り外すステップと、及び蠕動ポンプから第２の導管を分離するステップを含む、方法に関する。
【００１８】
本発明の１つの目的は、広い床領域を迅速に且つ効率的にコーティングすることができる、前述のタイプの床仕上げ剤アプリケータを提供することである。
【００１９】
本発明のさらに別の目的は、容易に操作される、前述のタイプの床仕上げ剤アプリケータを提供することである。
【００２０】
さらに別の目的は、容易に保守される、前述のタイプの床仕上げ剤アプリケータを提供することである。
【００２１】
またさらに別の目的は、容易な洗浄を可能にする、前述のタイプの床仕上げ剤アプリケータを提供することである。
【図面の簡単な説明】
【００２２】
【図１】アプリケータから外されたモップを示す、本発明の態様を具現する床仕上げ剤アプリケータの斜視図である。
【図２】モップが取り付けられた状態でベイルの作動を示す、図１に示すアプリケータの側面図である。
【図３】図２に示すベイルの止め具機構の詳細図である。
【図４】ポンプを作動させる駆動手段を非作動位置で示す、図１に示すアプリケータの底面図である。
【図５】車輪と連携するローラクラッチを示す図４の断面詳細図である。
【図６】駆動手段を作動位置で示す図４と同様の図である。
【図７】図６の線７−７に沿った断面図である。
【図８】ポンプを示し且つ床仕上げ剤の分配を示す、図１に示すアプリケータの正面図である。
【発明を実施するための形態】
【００２３】
図１乃至図８に示すように、包括的に１０で示す床仕上げ剤アプリケータは、車輪１８が回転可能に取り付けられている成形プラスチックのベース部１６に接合されるＵ字形の管状ハンドル部材１４を有する、カート１２を含む。床仕上げ剤を収容する袋２３を有する箱２１が、箱２１のキャリア部材を提供するハウジング１６内で支持される。キックスタンド２２が、カート１２のベース部１６を支持する。ばね６０が、キックスタンド２２をハウジング１６に向けて枢動付勢する。
【００２４】
ハウジング１６には、クランプ３４及び３５を有するフレーム部材２０が接続されている。ハンドル３０及びモップヘッド３２を有するモップ２８が、クランプ３４及び３５によってフレーム部材２０に取り外し可能に取り付けられる。好ましくは、モップヘッド３２は、床仕上げ剤の拡布及びレベリングのために異なるサイズの材料から構成されるパッドを有する。これは、フォーム(foam)、フロックフォーム(flocked foam)、織布、又は不織布で作られ得る。
【００２５】
図３、図６及び図７を参照すると、車輪からポンプ６４へ動力を伝達する伝動組立体が示されている。伝動組立体は、ポンプ６４の作動を選択的に制御するばねクラッチ３８を含む。クラッチは、駆動軸４２に摺動可能に受け止められるスラストワッシャ４０を含む。ばね４４が、ワッシャ４０を枢動バー４８に対して付勢する。枢動バー４８にはケーブル６６が取り付けられる。駆動軸４２には傘歯車５０が接続される。駆動軸４２の反対端は、ポンプ６４につながる駆動軸５２に摺動可能に受け入れられる。駆動歯車５４が、車軸５６に取り付けられる。
【００２６】
図２及び図３で見られるように、ケーブル６６は、接続ペグ７１によってベイル６９にも取り付けられ、ハンドル１４に配置されている（dispensed）ブラケット６７に摺動可能に固定されている。ハンドル１４には、ベイル６９が枢動可能に取り付けられている。ハンドル１４には、ベイル止め具７３も接続されている。
【００２７】
ポンプ６４は、ピストンポンプ、歯車ポンプ、膜ポンプ、蠕動ポンプ等の様々な種類のポンプを含み得る。各ポンプを床仕上げ剤の送出に利用することができ、上述の伝動組立体を介して操作可能であり得るが、蠕動ポンプの実施形態が非常に好ましい実施形態である。より詳細に後述するように、蠕動ポンプは、床仕上げ剤がポンプに接触しないため実質的に洗浄しやすいという理由で好ましい。
【００２８】
図８を参照すると、蠕動ポンプは、コンパートメント７５に収容される。床仕上げ剤給送導管２５が、コネクタ７９を用いて袋２３と流体連通する。給送導管２５はポンプ導管８１とも流体連通し、出力導管８３とも流体連通する。スリーブ８５が、導管２５、８３とポンプ導管８１との接続を提供する。オリフィス８９を有する噴霧導管８７が、ブラケット９０によってハウジング１６に取り付けられている。
【００２９】
床仕上げ剤アプリケータ１０のさらなる理解は、図１乃至図８で見られるような動作の説明によって得ることができる。床仕上げ剤を収容する袋２３は、箱２１に入れられ、この箱は、図１に示すようなカート１２のハウジング１６に積載される。袋２３は、図８に示すような可撓性の給送管２５に接続される。図２に示すように、モップ２８は、クランプ３４及び３５を用いてアプリケータ１０に締結される。床仕上げ剤を袋２３から床面２７へ分配することが望まれる場合、アプリケータ１０を図２に示す方向矢印１９で示す方向に移動させる。続いて、ベイル６９を方向矢印１７で示す方向に移動させると、これが枢動バー４８を図４に示す位置から図６に示す位置へ移動させることにより、駆動軸４２をスラストワッシャ４０によって移動させて、傘歯車５０を車輪１８による車軸５６の回転によって回転する駆動歯車５４と係合するように移動させる。駆動軸４２の回転は、図７に示すピン５８・スロット５７構造を介して駆動軸５２を回転させる。これは、２つの軸の接続を維持したまま軸５２内での軸４２の直線運動を可能にする。軸５２の回転が、ポンプ６４のポンプ作用を行わせる。
【００３０】
図８で最もよく分かるように、床仕上げ剤は、可撓性の給送導管２５を通って蠕動ポンプ６４へ流れ込む。床仕上げ剤は、可撓性の出力導管８３へ圧送されて噴霧導管８７へ圧送され、そこからオリフィス８９を通して分配される。カート１２の移動中の蠕動ポンプ６４の作動は、車輪１８と連携するローラクラッチ９４によって防止され得る。これは、図５に示されている。ローラベアリング９２が、ローラクラッチ９４のように軸５６に取り付けられる。スペーサ９３が、ベアリング９２とハウジング１６とを隔てる。枢動バー４８を歯車５０及び５４が非係合状態である図４に示す位置に配置する位置に、ベイル６９を移動させない場合、ローラクラッチが、カート１２の移動中のポンプ６４の作動を防止する。
【００３１】
アプリケータのいくつかの実施形態の有利な特徴は、使い捨てのコネクタ７９並びに使い捨ての可撓性導管２５、８１、８３及び噴霧導管８７である。床仕上げ剤の塗布が完了すると、蠕動ポンプ６４を洗浄せずに、これらの構成要素を容易に取り外して交換することができる。換言すれば、蠕動ポンプの使用を通して、床仕上げ剤はポンプに一切接触しない。したがって、時間のかかる洗浄が不要である。正確には、次の作業前に導管をポンプから取り外して交換するだけでよい。
【００３２】
アプリケータ１０のいくつかの実施形態の別の利点は、モップ２８の二重の用途である。モップ２８は、カート１２に取り付けられると床仕上げ剤用のスプレッダとして働く一方で、アプリケータに取り付けられると容易にアクセス可能でない床領域に床仕上げ剤を塗布するために手動モップとして別個に用いることもできる。
【００３３】
ローラクラッチ９４を、アプリケータ１０と共に説明してきた。ベイル６９を図２に実線で示す上方位置に配置することによって、アプリケータの前進運動中にポンプ６４の停止を行わせることができるため、所望であればローラクラッチ９４を省くことができる。モップ２８をアプリケータ１０から係脱可能にすることも必須ではない。本発明の精神の範囲内にあるそのような変更形態及び他の変更形態の全てが、添付の特許請求の範囲によって定義される範囲内にあることが意図される。
【図１】
2010534287.tif 000003
【図２】
2010534287.tif 000004
【図３】
2010534287.tif 000005
【図４】
2010534287.tif 000006
【図５】
2010534287.tif 000007
【図６】
2010534287.tif 000008
【図７】
2010534287.tif 000009
【図８】
2010534287.tif 000010
【国際調査報告】
2010534287.tif 000011
2010534287.tif 000012